(57)【要約】【課題】収容室に収容された電池が不用意に外部に脱落するのを防止するとともに、簡単な操作で、電池を電池ホルダーから取り出すことのできる電池ホルダーを提供する。【解決手段】ボタン電池10を収容する収容室1は、電池10の側面から出し入れ可能な開口端面2と、電池10の平面及び側面を保持する上面部6、下面部7、及び側面部3、4、5と、電池10の平面または側面の少なくとも一方を付勢する弾性片12、13とを有し、上面部6、下面部7、及び側面部3、4、5の少なくとの一つの面部に、開口端面2と反対側の端面から、開口端面に向かって、電池10の一部の部位まで伸びるスリット11が形成されている。【選択図】図１
2014013701.tif 000002
【特許請求の範囲】
【請求項１】
ボタン電池を収容する収容室を備えた電池ホルダーであって、
前記収容室は、
前記ボタン電池を、該電池の側面から出し入れ可能な開口端面と、
前記ボタン電池の平面及び側面を保持する上面部、下面部、及び側面部と、
前記ボタン電池の平面または側面の少なくとも一方を付勢する弾性片と、
を有し、
前記上面部、下面部、及び側面部の少なくとも一つの面部に、前記開口端面と反対側の端面から、前記開口端面に向かって、前記ボタン電池の一部の部位まで伸びるスリットが形成されている、電池ホルダー。
【請求項２】
前記弾性片の前記ボタン電池に対する付勢箇所は、前記スリットの前記開口端面側の端部よりも、前記開口端面側に位置する、請求項１に記載の電池ホルダー。
【請求項３】
前記収容室は、前記ボタン電池の平面及び側面を付勢する２つの弾性片を有し、
前記一方の弾性片の前記ボタン電池に対する付勢箇所は、前記スリットの前記開口端面側の端部よりも、前記開口端面側に位置し、
前記他方の弾性片の前記ボタン電池に対する付勢箇所は、前記スリットの前記開口端面側の端部よりも、前記開口端面側と反対側に位置する、請求項１に記載の電池ホルダー。
【請求項４】
前記弾性片は、前記ボタン電池の正極または負極に接続する電極端子を兼ねる、請求項１に記載の電池ホルダー。
【請求項５】
前記収納室には、前記ボタン電池が重ねられて２個以上収容される、請求項１に記載の電池ホルダー。
【請求項６】
前記スリットの幅は、ＩＥＣで規定されるテストフィンガーの直径５．６ｍｍよりも狭い、請求項１に記載の電池ホルダー。
【請求項７】
請求項１〜６の何れかに記載の電池ホルダーと、
前記電池ホルダーの前記収納室と連結し、前記ボタン電池を電源とする照明部と、
が一体形成された携帯照明装置であって、
前記収納室は、首かけ用紐の端部に設けられた保持部に、着脱可能に装着される、携帯照明装置。
【発明の詳細な説明】
【技術分野】
【０００１】
本発明は、ボタン電池を収容する収容室を備えた電池ホルダーに関する。
【背景技術】
【０００２】
ボタン電池を電源とする電子機器において、ボタン電池を保持した電池ホルダーを、電子機器に着脱可能に装着して使用する場合がある（例えば、特許文献１、２を参照）。この場合、電池ホルダーは、ボタン電池を保持する保持部を備えるとともに、電池ホルダーを電子機器に装着する際に、電池ホルダーを電子機器に固定するための係止部を備えている。また、係止部の係止状態を解除することによって、電池ホルダーを電子機器から脱着させることができる。
【０００３】
このように、ボタン電池は、電池ホルダーに保持された状態で、電子機器に装着されるため、装着中にボタン電池が電子機器の外部に脱落することはない。しかしながら、電池ホルダーを電子機器に着脱可能に装着するためには、電池ホルダーに係止部を設けるだけでなく、電子機器にも、係止部に係合する係合部を設ける必要がある。そのため、電池ホルダー及び電子機器の構造が複雑になる。
【０００４】
特許文献３には、ＩＣパッケージと一体化された電池ホルダーが記載されている。この電池ホルダーは、コイン型電池を収容する収容室を有し、コイン型電池の周面を押圧する弾性を有する第１の電極端子と、コイン型の底面に接触する弾性を有する第２の電極端子と、収容したコイン型電池の一部分を押さえる阻止部とが設けられている。収容室に収容されたコイン型電池は、阻止部によって保持されているため、不用意に外部に脱落することはない。また、収容室の周部とコイン型電池の周面との間にできた隙間に、棒状の工具を差し込んで、コイン型電池を阻止部から外することによって、第１の電極端子の弾性力により、コイン型電池を外部に押し出して、電池ホルダーの外部に取り出すことができる。
【先行技術文献】
【特許文献】
【０００５】
【特許文献１】特開平６−１６３０１６号公報
【特許文献２】特開平９−４５３０２公報
【特許文献３】特開平６−４４９５２号公報
【発明の概要】
【発明が解決しようとする課題】
【０００６】
特許文献３に記載の電池ホルダーは、確かに、簡単な構成で、収容室に収容された電池が不用意に外部に脱落するのを防止できる。しかしながら、電池を取り出す操作は、収容室の周部とコイン型電池の周面との間にできた隙間に、棒状の工具を差し込んで、一方の阻止部を支点にしながら傾けることによって、コイン型電池を、第１の電極端子の弾性力に抗して、他方の阻止部の方向に移動させて、コイン型電池を一方の阻止部から外し、これにより、第１の電極端子の弾性力を利用して、コイン型電池を外部に押し出すことにより行われる。そのため、電池を取り外す際の工具の操作が複雑で、使い勝手があまりよくない。また、電池を取り外す際、棒状の工具を用いて、コイン型電池を、第１の電極端子の弾性力に抗して、他方の阻止部の方向に移動させ、第１の電極端子の弾性力を利用して、電池の保持を開放するため、電池が勢いよく電池ホルダーから飛び出し、電池を紛失させるおそれがある。
【０００７】
本発明は、かかる点に鑑みなされたもので、その主な目的は、簡単な構成で、収容室に収容された電池が不用意に外部に脱落するのを防止するとともに、簡単な操作で、電池を電池ホルダーから容易に取り出すことのできる電池ホルダーを提供することにある。
【課題を解決するための手段】
【０００８】
本発明に係る電池ホルダーは、ボタン電池を収容する収容室を備え、収容室は、ボタン電池を、電池の側面から出し入れ可能な開口端面と、ボタン電池の平面及び側面を保持する上面部、下面部、及び側面部と、ボタン電池の平面または側面の少なくとも一方を付勢する弾性片とを有し、上面部、下面部、及び側面部の少なくとも一つの面部に、開口端面と反対側の端面から、開口端面に向かって、ボタン電池の一部の部位まで伸びるスリットが形成されている。
【０００９】
このような構成により、収納室の上面部、下面部、及び側面部によって保持されたボタン電池は、弾性片によって付勢されているため、収容室から不用意に外部に脱落することはない。また、開口端面と反対側に形成されたスリットに沿って、板状の治具を開口端面側に移動させることによって、ボタン電池の一部を、開口端面から押し出し、これにより、ボタン電池を収容室から容易に引き出すことができる。
【００１０】
また、弾性片のボタン電池に対する付勢箇所は、スリットの開口端面側の端部よりも、開口端面側に位置するのが好ましい。
【００１１】
このような構成により、ボタン電池の一部が開口端面から押し出されたとき、ボタン電池は、弾性片による付勢が維持されているため、板状の治具を使って、ボタン電池の一部を開口端面から押し出したとき、ボタン電池が勢いよく電池ホルダーから飛び出して、電池を紛失するおそれはない。
【発明の効果】
【００１２】
本発明によれば、簡単な構成で、収容室に収容された電池が不用意に外部に脱落するのを防止するとともに、簡単な操作で、電池を電池ホルダーから容易に取り出すことのできる電池ホルダーを提供することができる。
【図面の簡単な説明】
【００１３】
【図１】本発明の一実施形態における電池ホルダーの構成を模式的に示した図で、（ａ）は上面図、（ｂ）は収容室の開口端面２側からみた側面図、（ｃ）は側面部３側からみた側面図である。
【図２】収容室に収容された電池を、開口端面から取り出す操作を示した上面図である。
【図３】本実施形態の変形例における電池ホルダーの構成を模式的に示した図で、（ａ）は上面図、（ｂ）は側面部３側からみた側面図、（ｃ）は底面図である。
【図４】本実施形態の他の変形例における電池ホルダーの構成を模式的に示した図で、（ａ）は上面図、（ｂ）は側面部３側から見た側面図、（ｃ）は側面部５側から見た側面部である。
【図５】収容室に収容された電池を、開口端面から取り出す操作を示した図で、（ａ）は上面図、（ｂ）は側面部５側から見た側面図である。
【図６】本発明における電池ホルダーを照明部と一体形成した携帯照明装置の構成を示した斜視図である。
【発明を実施するための形態】
【００１４】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１５】
図１は、本発明の一実施形態における電池ホルダーの構成を模式的に示した図で、図１（ａ）は上面図、図１（ｂ）は収容室１の開口端面２側からみた側面図、図１（ｃ）は側面部３側からみた側面図である。
【００１６】
本実施形態における電池ホルダーは、ボタン電池を収容する収容室１を備えている。ここで、ボタン電池は、電池の形状がボタン型（薄型円筒形）の電池を総称した電池をいい、電池の種類は問わない。例えば、一次電池であっても、二次電池であってもよい。また、コイン型電池と称される電池も含む。以下、ボタン電池を単に「電池」という。
【００１７】
図１（ａ）〜（ｃ）に示すように、収容室１は、上面部６、下面部７、及び４つの側面部２、３、４、５で区画され、２個の電池が重ねられて収容できる空間を有し、その側面部の一つは、電池１０の側面から出し入れ可能な開口端面２になっている。
【００１８】
上面部６には、電池１０の上面を付勢する弾性片１２が取り付けられ、また、側面部４には、電池１０の側面を付勢する弾性片１３が取り付けられている。すなわち、電池１０が収容室１内に収容された状態で、弾性片１２は、付勢箇所１２ａで電池１０の上面を付勢し、また、弾性片１３は、付勢箇所１３ａで電池１０の側面を付勢する。これにより、収容室１に収容された電池１０の平面（上面、下面）及び側面は、弾性片１２、１３によって付勢を受けながら、上面部６、下面部７、及び側面部３、４、５によって、収容室１内で動かないように保持される。従って、一旦、開口端面２から収容室１内に収容された電池１０は、不用意に開口端面２から外部に脱落することはない。なお、電池１０の上面（又は下面）及び側面が、正極及び負極端子になっている場合には、弾性片１２、１３は、電池１０の正極及び負極に接続する電極端子を兼ねていてもよい。なお、弾性片１２、１３の構造は特に制限されないが、例えば、板バネ等を使用することができる。
【００１９】
本実施形態における電池ホルダーは、図１（ａ）〜（ｃ）に示すように、収容室１の上面部６、下面部７及び側面部３に、開口端面２と反対側の端面（側面部３）から、開口端面２に向かって、ボタン電池１０の一部の部位まで伸びるスリット１１が形成されている。すなわち、図１（ａ）に示すように、電池１０が収容室１に収容された状態で、収容室１を上面部６側及び下面部７側から見たとき、電池１０の上面及び側面の一部がスリット１１から露出した状態になっている。
【００２０】
図２は、本実施形態において、収容室１に収容された電池１０を、開口端面２から取り出す操作を示した上面図である。
【００２１】
図２に示すように、開口端面２と反対側の端面に形成されたスリット１１に、板状の治具２０を差し込み、この治具２０を、矢印で示す方向、つまり、開口端面２側に移動させることによって、電池１０を開口端面２から外に押し出すことができる。
【００２２】
このとき、治具２０を、スリット１１の内側面（側面部４及び側面部５に平行な面）に沿わせて移動させれば、スリット１１がガイドとなって、治具２０を、矢印の方向にスムーズに移動させることができる。これにより、余計な力をかけずに、電池１０の一部を確実に開口端面２から外に押し出すことができる。押し出された電池１０は、開口端面２から外部に一部露出した電池１０を、例えば、指で摘んで、収容室１から容易に引き出すことができる。なお、電池１０の開口端面２からの露出量は、スリット１１の開口端面２側の端部１１ａの位置を調整することによって、容易に調整することができる。例えば、電池１０の開口端面２からの露出量を、指で摘める程度の大きさに調整しておけば、収容室１からの電池の引き出しが容易になる。さらに、収容室１の上面部６及び／又は下面部７の開口端面２側の角部に、切り欠けを設けておけば、電池１０の開口端面２からの露出量を拡大できるため、収容室１からの電池の引き出しがより容易になる。
【００２３】
ここで、図１（ａ）に示すように、弾性片１２の電池１０に対する付勢箇所１２ａは、スリット１１の開口端面２側の端部１１ａよりも、開口端面２側に位置しているのが好ましい。
【００２４】
これにより、図２に示すように、治具２０をスリット１１の開口端面２側の端部１１ａまで移動させても、弾性片１２の付勢箇所１２ａは、電池１０の上面に位置しているため、開口端面２から外部に押し出された電池１０に対して、弾性片１２による付勢が維持されている。そのため、治具２０を使って、電池１０の一部を開口端面２から押し出したとき、電池１０が勢いよく収容室１から飛び出して、電池１０を紛失するおそれはない。
【００２５】
本実施形態では、収容室１は、電池１０の平面及び側面を付勢する２つの弾性片１２、１３を有している。この場合、図１（ａ）に示すように、一方の弾性片１２の電池１０に対する付勢箇所１２ａは、スリット１１の開口端面２側の端部１１ａよりも、開口端面２側に位置し、他方の弾性片１３の電池１０に対する付勢箇所１３ａは、スリット１１の開口端面２側の端部１１ａよりも、開口端面２側と反対側（側面部３側）に位置しているのが好ましい。
【００２６】
これにより、図２に示すように、治具２０をスリット１１の開口端面２側の端部１１ａまで移動させたとき、開口端面２から外部に押し出された電池１０に対して、弾性片１２による付勢が維持される一方、弾性片１３による付勢は開放される。そのため、治具２０を使って、電池１０の一部を開口端面２から押し出したとき、電池１０の収容室１からの飛び出しを防止しつつ、より軽い力で、開口端面２から一部露出した電池１０を引き出すことができる。
【００２７】
なお、図２で示した例では、開口端面２から外部に押し出された電池１０に対して、弾性片１２による付勢（電池１０の上面を付勢）を維持し、弾性片１３による付勢（電池１０の側面を付勢）を開放するようにしたが、弾性片１３による付勢（電池１０の側面を付勢）を維持し、弾性片１２による付勢（電池１０の上面を付勢）を開放するようにしてもよい。勿論、電池１０の収容室１からの飛び出しをより確実に防止するために、両方の弾性片１２、１３による付勢（電池１０の上面及び側面を付勢）を維持させてもよい。
【００２８】
なお、スリット１１の幅は特に制限されないが、ＩＥＣ（International Electrotechnical Commission）６１０３２で規定された１〜３歳児の指に見立てたテストフィンガーの直径５．６ｍｍよりも狭いことが好ましい。これにより、幼児が不用意に操作して、電池１０を取り出し、誤飲するのを防止することができる。
【００２９】
図３は、本実施形態の変形例における電池ホルダーの構成を模式的に示した図で、図３（ａ）は上面図、図３（ｂ）は側面部３側からみた側面図、図３（ｃ）は底面図である。
【００３０】
本変形例では、図１（ａ）〜（ｃ）に示した実施形態と、スリット１１の形態が異なる。
【００３１】
本変形例におけるスリット１１は、図３（ａ）〜（ｃ）に示すように、収容室１の下面部７及び側面部３に、開口端面２と反対側の端面（側面部３）から、開口端面２に向かって、電池１０の一部の部位まで伸びるスリット１１が形成されている。すなわち、図３（ｃ）に示すように、電池１０が収容室１に収容された状態で、収容室１を下面部７側から見たとき、電池１０の下面の一部がスリット１１から露出した状態になっている。なお、図３（ｂ）に示すように、２個の電池１０を同時に取り出すためには、収容室１を側面部３側から見たとき、少なくとも、両方の電池１０の側面の一部がスリット１１から露出した状態になっている必要がある。
【００３２】
本変形例は、例えば、収容室１の上面部６に、弾性片１２とは別の位置にスリット１１を形成するスペースがない場合でも、下面部７にスリット１１を形成することによって、本発明の効果を奏することができる点で有効である。
【００３３】
なお、本変形例における電池１０の取り出しは、図２に示した操作と同様の操作で行うことができる。
【００３４】
図４は、本実施形態の他の変形例における電池ホルダーの構成を模式的に示した図で、図４（ａ）は上面図、図４（ｂ）は側面部３側から見た側面図、図４（ｃ）は側面部５側から見た側面部である。
【００３５】
本変形例におけるスリット１１は、図４（ａ）〜（ｃ）に示すように、収容室１の側面部３及び側面部５に、開口端面２と反対側の端面（側面部３）から、開口端面２に向かって、電池１０の一部の部位まで伸びるスリット１１が形成されている。すなわち、図４（ｂ）、（ｃ）に示すように、電池１０が収容室１に収容された状態で、収容室１を側面部３及び側面部５から見たとき、電池１０の側面の一部がスリット１１から露出した状態になっている。ここで、スリット１１が形成される側面部３及び側面部５は、それぞれ、開口端面２及び弾性片１３が設けられた側面部４と反対側の側面部である。なお、図４（ｂ）、（ｃ）に示すように、２個の電池１０を同時に取り出すためには、少なくとも、両方の電池１０の側面の一部がスリット１１から露出した状態になっている必要がある。
【００３６】
図５は、本変形例において、収容室１に収容された電池１０を、開口端面２から取り出す操作を示した図で、図５（ａ）は上面図、図５（ｂ）は側面部５側から見た側面図である。
【００３７】
図５（ａ）、（ｂ）に示すように、開口端面２と反対側の端面に形成されたスリット１１に、板状の治具２０を差し込み、この治具２０を、矢印で示す方向、つまり、開口端面２側に移動させることによって、電池１０の一部を開口端面２から外に押し出すことができる。
【００３８】
このとき、治具２０を、スリット１１の内側面（上面部６及び下面部７に平行な面）に沿わせて移動させれば、スリット１１がガイドとなって、治具２０を、矢印の方向にスムーズに移動させることができる。これにより、余計な力をかけずに、電池１０の一部を確実に開口端面２から外に押し出すことができる。
【００３９】
本変形例は、上面部６及び下面部７の利用に種々の制約がある場合に有効である。例えば、電池ホルダーを機器等へ取り付けるために、上面部６及び下面部７に、取り付け用のガイドリブや係止用凸部等が形成されていて、あるいは、電池挿入方向等の表示が記載されていて、スリット１１を形成するスペースがない場合に有効である。
【００４０】
次に、本発明における電池ホルダーを、ボタン電池を電源とする電子機器に装着した応用例を説明する。
【００４１】
図６は、本発明における電池ホルダーを、電池１０を電源とする照明部と一体形成した携帯照明装置の構成を示した斜視図である。
【００４２】
図６に示すように、電池ホルダーの収容室１は、照明用の光源３１が組み込まれた照明部３０と一体成形されている。照明部３０には、収容室１に設けられた電池１０の正極及び負極に接続された電極端子（弾性片）１２、１３と電気的に接続する導通板（不図示）が配設されている。これにより、照明部３０に組み込まれた光源３１に電源が供給される。また、照明部３０には、光源３１への電源の供給をオン／オフするスイッチ（不図示）が設けられている。一方、電池ホルダーの収容室１は、電池１０を収容した状態で、首かけ用紐４０の端部に設けられた保持部４１の凹部４２に、着脱可能に装着される。
【００４３】
以上、本発明を好適な実施形態により説明してきたが、こうした記述は限定事項ではなく、もちろん、種々の改変が可能である。例えば、上記実施形態では、収容室１に、２個の電池を重ねて収容した例を説明したが、収容室１に収容する電池１０の個数は、特に制限されず、１個でもよい。また、収容部１は、略直方体の形状に限定されず、電池１０を収容室１に収容した状態で、電池１０が動かないように規制できる形状であればよい。また、本発明における「電池ホルダー」は、電池１０を収容する収容室１以外に、電子機器等の他の部品が一体化されたものも含む。
【産業上の利用可能性】
【００４４】
本発明は、電子機器の電源として用いられるボタン電池を収容する電池ホルダーに有用である。
【符号の説明】
【００４５】
１      収容室 
２      収容室の開口端面 
３、４、５    収容室の側面部 
６      収容室の上面部 
７      収容室の下面部 
１０    ボタン電池 
１１    スリット 
１１ａ  スリットの端部 
１２、１３      弾性片 
１２ａ、１３ａ    付勢箇所 
２０    治具 
３０    照明部 
３１    光源 
４０    首かけ用紐 
４１    保持部 
４２    凹部
【図１】
2014013701.tif 000003
【図２】
2014013701.tif 000004
【図３】
2014013701.tif 000005
【図４】
2014013701.tif 000006
【図５】
2014013701.tif 000007
【図６】
2014013701.tif 000008